(57)【要約】【課題】リバーサルフイルム調など銀塩フイルムの写真プリントを再現したような画像をプリント出力する。【解決手段】プリントシステム１０は、デジタルカメラ１１、写真プリンタ１２、メモリカード１３からなる。デジタルカメラ１１は被写体を撮像した撮像画像データと、リバーサルフイルム調など再現したい写真フイルムの種類を入力したフイルム調設定情報をメモリカード１３に記憶する。写真プリンタ１２は、メモリカード１３からフイルム調設定情報を撮像画像データとともに読み出し、フイルム調設定情報に基づいて、γ補正、シャープネス補正、色補正などの画像処理を施して補正した補正画像データをプリント出力する。【選択図】        図１
2004289729.tif 000002
【特許請求の範囲】
【請求項１】
被写体画像、又は画像原稿を撮像して撮像画像データを電子記憶媒体に記憶するデジタル撮像装置と、このデジタル撮像装置によって記憶された撮像画像データを電子記憶媒体から読み出して記録媒体に画像をプリント出力するプリンタとからなるプリントシステムにおいて、
前記デジタル撮像装置は、銀塩写真のフイルムに対応する複数種のフイルム調情報を入力する入力部と、前記フイルム調情報を含む各種情報を前記電子記憶媒体に出力する情報出力部とを設けており、前記プリンタは、前記電子記憶媒体から前記フイルム調情報を前記撮像画像データとともに読み出し、このフイルム調情報に基づいて、前記撮像画像データに画像処理を施した補正画像データをプリント出力することを特徴とするプリントシステム。
【請求項２】
前記プリンタは、プリント出力する画像データに画像処理を自動的に施して補正する自動補正機構を備えており、前記デジタル撮像装置は、前記撮像画像データ及び前記フイルム調設定情報とともに、前記自動補正機構をオフにする停止命令を前記電子記憶媒体に書き込み、前記プリンタが前記撮像画像データを読み込むときに、前記停止命令を読み込むことを特徴とするプリントシステム。
【請求項３】
前記プリンタが撮像画像データに施す画像処理は、γ補正、シャープネス補正、色補正のうちの少なくとも１つであることを特徴とする請求項１又は２記載のプリントシステム。
【請求項４】
前記デジタルカメラは、被写体画像を撮像するとき、高感度の撮像画像データと、低感度の撮像画像データとを作成しており、これら低感度及び高感度の撮像画像データを合成して、ダイナミックレンジが拡大された１つの撮像画像データを作成するダイナミックレンジ拡大処理部が設けられていることを特徴とする請求項１ないし３いずれか記載のプリントシステム。
【発明の詳細な説明】
【０００１】
【発明の属する技術分野】
本発明は、デジタルカメラやスキャナなどで撮像された撮像画像データを、リバーサルフイルム調や、ネガフイルム調など銀塩フイルムの写真プリントを再現したような画像に変換してプリント出力するプリントシステムに関するものである。
【０００２】
【従来の技術】
近年では、デジタルカメラで撮影した撮影した撮影画像データのプリント出力に使用するパーソナルユースのプリンタについても急速に普及しておきており、デジタルカメラからメモリカードを抜き取ってプリンタにセットし、プリント開始操作をするとメモリカードから撮影画像データを読み出して記録紙にプリントが行われる。このように、デジタルカメラ、プリンタ、着脱式のメモリカードからパーソナルユースのプリントシステムが構成されているのが一般的である。
【０００３】
最近では、上述したようなプリントシステムで得られるプリントでも、銀塩の写真カメラのように、高画質かつ多彩な表現方法のプリントが望まれている。そこで、例えば、特許文献１に記載されているプリントシステム及び画像処理方法では、撮像画像データとともに、画像信号に変換処理を行うための各種設定（付加情報）を書き込む機能をデジタルカメラに設けており、プリンタは撮像画像データをメモリカードを読み込むときに、撮像画像データとともに付加情報を読み込んで、付加情報に基づいて撮像画像データに画像処理を施すことによってプリントの画質向上を図ろうとしている。
【０００４】
このようなプリントシステムを構成するプリンタでは、メモリカードから読み出した撮像画像データに画像処理を施して自動補正する機能を有することが多い。このプリンタによって施される画像処理は、一般的に好まれる画質、すなわち、グレーバランスが一定の濃度に整えられ、色は彩度が高く補正され、シャープネス（鮮鋭度）を高くするように設定されている。そして、この初期設定の画像処理を撮像画像データに施すように、プリントシステムを構成するデジタルカメラは、プリント時に撮像画像データに自動的に画像処理して補正する命令をメモリカードに書き込んでいる。
【０００５】
一方、上述のような自動補正機能は、一般的に好まれる画質を得るためには適しているが、プロレベルのユーザーでは、画質の表現の幅が狭く、初期設定以外の画質を得たいという要求が強い。そして、特に写真カメラにおける銀塩フイルムの違いによって得られる画質のバリエーションを再現することが望まれている。すなわち、写真カメラでは、様々な種類のフイルムを入れ替えることによって、フイルム毎に異なる表現の画像が得られることが利点となっている。例えば、カラーリバーサルフイルムを用いてプリントしたリバーサルプリントは、全体に濃度が高く、階調が硬く、空を真っ青に呈色させ、また、粒状性が良いという特徴を持っており、その他のフイルムにもそれぞれ特性がある。さらに、写真カメラの別の利点としては、銀塩フイルムの露出及び現像におけるラチチュード（寛容度）が広い範囲を持つこと、すなわち、被写体の明暗の違いを同じ調子の変化で再現できる範囲が広いという点が好まれており、デジタルカメラでも銀塩フイルムのように明暗比の高い画像を得ることが望まれている。
【０００６】
そこで、撮像画像をデジタルデータ化してプリント出力するプリントシステムの場合でも、様々な写真フイルムに応じたフイルム調を再現したような画像として、プリント出力できるように、撮像画像データに画像処理を施すことが考えられており、例えば、特許文献２には、リバーサルフイルム調に画像処理する画像処理方法が記載されており、特許文献３には、写真フイルム種類に応じたフイルム調の情報を撮像画像データとともに記憶するデジタルカメラが記載されている。
【０００７】
【特許文献１】
特開平１０−３３４２１２号公報
【特許文献２】
特開平１１−２７５３６３号公報
【特許文献３】
特開２００１−３４６２１８号公報
【０００８】
【発明が解決しようとする課題】
しかしながら、上記特許文献１では、デジタルカメラ及びプリンタからなる普及型のプリントシステムでコスト的には有利な構成であるが、写真フイルムに応じたフイルム調の画像を再現する画像処理方法については記載されていない。さらに特許文献２は、画像原稿を撮像して撮像画像データを出力し、この撮像画像データをプリント出力するまでを、１つの装置で行うように考慮されたものであり、画像データの出力には、デジタルカメラやスキャナなど、そしてプリント出力には、サーマルプリンタやインクジェットプリンタなど、被写体や用途に応じて、撮像やプリントに用いる電子機器を使い分けて用いることについては考慮されていない。また、特許文献３はデジタルカメラ単体に適用することが前提であり、プリント出力については詳しく記載されていない。
【０００９】
また、デジタルカメラなどの撮像装置では、ダイナミックレンジ、すなわち撮像画像データの画面における最も暗い点と最も明るい点との間の階調差が広い程、被写体の明暗比を再現するための性能が高いといえるが、広いダイナミックレンジで出力することが可能な撮像素子はコストが高く、一般的なデジタルカメラに備えることは困難であり、ダイナミックレンジの狭い撮像素子からの撮像画像データでは、銀塩フイルムのような明暗比の高い画像を得ることは難しい。
【００１０】
さらにまた、市販の画像処理処理ソフトを用いて、パーソナルコンピュータなどに画像を取り込み、画像処理を行うことも考えられるが、大量のプリント出力を行う場合には、非常に手間がかかってしまうので効率が悪い。
【００１１】
本発明は、上記問題点を考慮してなされたものであり、画像データから人物画像データを抽出し、プリント出力することを容易に行うことができるとともに、撮像やプリントを行う様々な電子機器に対応することが可能であり、さらにテンプレート画像や、様々な背景画像との合成画像をプリント出力することも可能な画像処理方法及びプリントシステムを提供することを目的とする。
【００１２】
【課題を解決するための手段】
上記課題を解決するために、請求項１記載のプリントシステムは、被写体画像、又は画像原稿を撮像して撮像画像データを電子記憶媒体に記憶するデジタル撮像装置と、このデジタル撮像装置によって記憶された撮像画像データを電子記憶媒体から読み出して記録媒体に画像をプリント出力するプリンタとからなるプリントシステムにおいて、前記デジタル撮像装置には、銀塩写真のフイルムに対応する複数種のフイルム調情報を入力する入力部と、前記フイルム調情報を含む各種情報を前記電子記憶媒体に出力する情報出力部を設けており、前記プリンタは、前記電子記憶媒体から前記フイルム調情報を前記撮像画像データとともに読み出し、このフイルム調情報に基づいて、前記撮像画像データに画像処理を施した補正画像データをプリント出力している。
【００１３】
前記プリンタは、プリント出力する画像データに画像処理を自動的に施して補正する自動補正機構を備えており、前記デジタル撮像装置は、前記撮像画像データ及び前記フイルム調設定情報とともに、前記自動補正機構をオフにする停止命令を前記電子記憶媒体に書き込み、前記プリンタが前記撮像画像データを読み込むときに、前記停止命令を読み込んでいることが好ましい。また、前記プリンタが撮像画像データに施す画像処理は、γ補正、シャープネス補正、色補正のうちの少なくとも１つであることが好ましい。
【００１４】
さらにまた、前記デジタルカメラは、被写体画像を撮像するとき、高感度の撮像画像データと、低感度の撮像画像データとを作成しており、これら低感度及び高感度の撮像画像データを合成して、ダイナミックレンジが拡大された１つの撮像画像データを作成するダイナミックレンジ拡大処理部が設けられていることが本発明においては非常に効果的である。
【００１５】
【発明の実施の形態】
図１は、本発明に係るプリントシステムの構成を示す概略図である。プリントシステム１０は、デジタルカメラ１１、写真プリンタ１２、メモリカード１３から構成されている。プリントシステム１０は、デジタルカメラ１１で撮像した被写体画像をメモリカード１３にデジタルの撮像画像データとして記憶させる。メモリカード１３に記憶された撮像画像データは、写真プリンタ１２で記録紙１４にプリントされて写真プリント１５が得られる。なお、メモリカード１３としては、スマートメディア（登録商標）を使用している。
【００１６】
デジタルカメラ１１のカメラボディ１６の前面には、撮像レンズ１７を保持した鏡筒１８が、上面にはレリーズボタン２０が、側面にはメモリスロット２１の開閉蓋２２が設けられている。この開閉蓋２２を開放状態とすると、メモリスロット２１にメモリカード１３を装着可能となる。
【００１７】
詳しくは図２に示すように、カメラボディ１６の背面には、ＬＣＤパネル２３、及び電源ボタン２４ａ、モード切替ボタン２４ｂ、方向選択ボタン２４ｃ、選択ボタン２４ｄを含む各種操作ボタン２４などが、設けられている。ユーザーはこれらの操作ボタン２４を操作することによって、各種設定を行うことができる。
【００１８】
デジタルカメラ２では、通常の撮像モードの他に、各種設定を行うときの設定入力モードが備えられている。設定入力モードに切り替えるためには、モード切替ボタンをスライド操作する。設定入力モードに切り替えられると、図３（Ａ）に示すようなメニュー画面２５がＬＣＤパネル２３に表示される。メニュー画面では、現在選択されている項目が４角形の枠２６に囲まれていたり、反転表示されていたりする。そしてユーザーは方向選択ボタン２４ｃを操作して選択したい項目を変更することができる。
【００１９】
図３（Ａ）に示すメニュー画面２５のうち、「フイルム調選択」の項目が、本発明に特に関わるものであり、以下、「フイルム調選択」の項目を選択した場合について主に説明していく。そして、「フイルム調選択」の項目が枠２６に囲まれたり、反転表示されたりした状態で、選択ボタン２４ｄを押圧すると、図３（Ｂ）に示すようなフイルム調選択画面２７に表示が切り替えられる。
【００２０】
図３（Ｂ）に示すようなフイルム調選択画面では、例えば、５種類のフイルム調の項目として、リバーサルフイルム調▲１▼〜▲３▼、ネガフイルム調▲１▼，▲２▼の項目が設定されており、現在選択されている項目が４角形の枠２８に囲まれていたり、反転表示されていたりする。そしてユーザーは方向選択ボタン２４ｃを操作して選択したいフイルム調を変更することができる。そして選択したいフイルム調の項目が枠２８に囲まれたり、反転表示されたりした状態で、選択ボタン２４ｄを押圧すると、ユーザーが選択したいフイルム調の種類、すなわちフイルム調設定情報を入力することができる。
【００２１】
なお、フイルム調の数は上記例では５種類に設定しているが、これに限るものではない。また、フイルム調の名称は、上述したものに限らず、「プロ用ネガフイルム」や、「白黒フイルム」などでもよく、銀塩の写真フイルムとして実際に販売されている商品名や、ＩＳＯ４００，８００，１６００などの感度を表す名称など、再現したいフイルム調を、ユーザーが想定しやすい名称であればよい。
【００２２】
図４は、デジタルカメラ１１の電気的構成を示す。このデジタルカメラ１１は、撮像レンズ１７、ＣＣＤイメージセンサ３１、Ａ／Ｄ変換回路３２、ＡＷＢ（ホワイトバランス）補正回路３３、リニアマトリクス回路３４、ダイナミックレンジ拡大処理部３５、ＹＣｒＣｂ変換及び同時化処理回路３６、色差マトリクス回路３７、圧縮回路３８、情報出力部３９などからなる。そして、デジタルカメラ１１には、システムコントローラ４１が設けられており、このシステムコントローラ４１が入力部４２からの入力に基づいて各種回路を全体的に制御する。入力部４２は、レリーズボタン２０，各種操作ボタン２４などの操作に応じた操作信号をシステムコントローラ４１に送る。これらの操作信号に基づいて、システムコントローラ４１は、各部を制御して撮像のためのシーケンスを実行する。
【００２３】
ＣＣＤイメージセンサ３１は、２線読み出しの単板式電荷結合ＣＣＤである。詳しくは、例えば特開２００１−８１０４号公報に記載されているように、水平ラインを形成する高感度の撮像セル及び低感度の撮像セルが水平ラインごとに交互に位置し、水平方向及び垂直方向のセルピッチの１／２に相当する長さだけ各セルがずれて配置された周知のハニカム構造の撮像デバイスである。高感度の撮像セルおよび低感度の撮像セルは、たとえば、その撮像セルアレイの表面に形成されているオンチップ・マイクロレンズの光透過率を、例えば前者については高く、また後者については低く設計することによって形成することができる。
【００２４】
このＣＣＤイメージセンサ３１は、撮像レンズ１７を通して入射された１つの被写体画像を、低感度及び高感度の２種類の撮像画像データに変換して出力する。ＣＣＤイメージセンサ３１から出力された撮像画像データは、Ａ／Ｄ変換回路３２によってデジタルデータに変換されて、ＡＷＢ補正回路３３に送信される。
【００２５】
デジタル変換された撮像画像データは、ＡＷＢ補正回路３３によってホワイトバランスが補正され、さらにリニアマトリクス回路３４でリニアマトリクス変換式に基づいて色補正係数が補正され、ダイナミックレンジ拡大処理部３５に送られる。
【００２６】
ダイナミックレンジ拡大処理部３５は、詳しくは図５に示すような構成になっている。このダイナミックレンジ拡大処理部３５は、入力端子４４，４５、乗算回路４６，４７、γ変換回路４８，４９、合成回路５０、及び出力端子５１からなる。
【００２７】
２種類の撮像画像データのうち、高感度の撮像画像データは、入力端子４４から、低感度の撮像画像データは、入力端子４５から入力される。そしてこの２種類の撮像画像データは、それぞれ個別に乗算回路４６，４７で増幅され、γ変換回路４８，４９でγ変換が施された後、ともに合成回路５０へ送られた合成処理が施される。乗算回路４６，４７でそれぞれ低感度及び高感度の撮像画像データに乗ぜられるゲインＧｈ，Ｇｌは、後述するダイナミックレンジの拡大範囲に応じて設定されており、このゲインＧｈ，Ｇｌに値によって重み付けがなされた後、γ変換され、合成回路５０で加算される。
【００２８】
このダイナミックレンジ拡大処理部３５で行われる合成処理は、以下の式（１）に基づいて行われている。
【００２９】
【数１】
2004289729.tif 000003
【００３０】
上記式（１）中のｄａｔａは合成された撮像画像データ、ｈｉｇｈはγ変換後の高感度の撮像画像データ、ｌｏｗはγ変換後の低感度の撮像画像データ、ｔｈは一定の閾値、Ｐはトータルゲイン、ｈｇａｉｎ，ｌｇａｉｎは乗算回路４６，４７で乗算するゲインＧｈ，Ｇｌの値を示している。なお、式（１）中で使用されているＭＩＮ，ＭＡＸは、演算子であり、ＭＩＮ（ｈｉｇｈ／ｔｈ，１）は、ｈｉｇｈ／ｔｈ及び１のうち小さい方の数が、ＭＡＸ（−０．２（ｈｉｇｈ／ｔｈ）＋１，Ｐ）は、−０．２（ｈｉｇｈ／ｔｈ）＋１及びＰのうち大きい方の数が、演算の解である。
【００３１】
この式（１）において設定されるトータルゲインＰの値を制御することによってダイナミックレンジの制御を行う。このトータルゲインＰの値が小さいほどダイナミックレンジの範囲は広く、トータルゲインＰの値が大きいほどダイナミックレンジの範囲は狭くなる。このトータゲインＰの設定は、例えば通常時Ｐ＝０．９として、フイルム調設定情報が入力されたときには、Ｐ＝０．８にする。これによって、フイルム調設定情報が入力されたときは、通常時よりもダイナミックレンジが広い範囲となる。
【００３２】
ダイナミックレンジ拡大処理部３５により１つに合成された撮像画像データ（ＲＧＢデータ）は、ＹＣｒＣｂ変換及び同時化処理回路３６により、ＲＧＢ→ＹＣｒＣｂ変換式（ＩＴＵ−Ｒ  ＢＴ．Ｒｅｃ６０１準拠）に基づいてＹＣｒＣｂデータに変換され、さらにＹＣｒＣｂの各信号について同時化処理が行われる。
【００３３】
ＹＣｒＣｂ変換及び同時化処理回路３６から出力された撮像画像データ（ＹＣｒＣｂデータ）は、色差マトリクス回路３７に出力される。色差マトリクス回路３７では、色差マトリクス変換式に基づいて撮像画像データの色補正係数が再補正される。圧縮回路３８は、色差マトリクス回路３７により色補正係数が補正された撮像画像データを圧縮する。圧縮回路３８にはメディアＩ／Ｆ（インターフェース）４５が接続されており、メディアＩ／Ｆ４５は、メモリスロット２１に装着されているメモリカード１３のデータの入出力を制御する。そして、圧縮回路３８により圧縮された撮像画像データは、メディアＩ／Ｆ４５によってメモリカード１３へ記憶される。なお、撮像画像データを圧縮する形式としては、例えばＪＰＥＧ形式などが用いられている。
【００３４】
一方、情報出力部３９には、操作ボタン２４から入力されたフイルム調設定情報が送られる。情報出力部３９では、上述したように設定入力モードでフイルム調設定情報が入力されたときには、操作ボタン２４で選択されたフイルム調の種類、例えばリバーサルフイルム調▲１▼が選択されていることを、後述するＥｘｉｆフォーマットに合わせたデータ形式にして出力する。また、設定入力モードでフイルム調設定情報の入力が行われていないときには、通常の撮像画像データとして処理され、フイルム調設定情報については、何も出力しない。情報出力部３９から出力されたフイルム調設定情報は、メディアＩ／Ｆ４５に送られ、画像データとともにメモリカード１３に記憶される。
【００３５】
また、情報出力部３９には、撮影日付、シャッタ速度、絞り値、などの情報が被写体を撮像した１フレーム分の各画像毎にシステムコントローラ４１から送信されてくる。そして、情報出力部３９では、これら各種情報についてもフイルム調設定情報と同様に、メディアＩ／Ｆ４５に出力し、画像データとともにメモリカード１３に記憶する。
【００３６】
なお、システムコントローラ４１には、ＬＣＤドライバ５５も接続されている。ＬＣＤドライバ５５には、色差マトリクス回路３２から画像処理済みの画像データが送られてくる。これにより、ＬＣＤパネル１９には撮像中の被写体画像が動画としてスルー表示され、ビューファインダとして使用することができる。
【００３７】
メモリカード１３は、高速でアクセスが可能なＤＲＡＭ（Ｄｙｎａｍｉｃ  ＲＡＭ  ）から構成されている。デジタルカメラ１１で撮像された撮像画像データは、図６に示すようなファイル構造で記録されており、デジタルカメラ１１で撮像された撮像画像データ及びその各種情報データが撮像画像ファイルとして記録される。これら撮像画像ファイル１〜ｎはすべて撮像画像フォルダにまとめて格納される。各撮像画像ファイルは、例えば電子情報技術産業協会（ＪＥＩＤＡ）から発表された規格であるＥｘｉｆフォーマットで記録される。
【００３８】
Ｅｘｉｆフォーマットは、撮像画像データに加えてＥｘｉｆ  Ｔａｇデータが付加されたものである。撮像画像データは、上述したようにＪＰＥＧ形式で記録されるが、撮像画像データの形式としては、このＪＰＥＧ形式の他に、撮像画像データとこのデータのファイル内の格納位置などを示す情報を記録するＴａｇとからなるＴｉｆｆ（Ｔａｇｅｄ  Ｉｍａｇｅ  Ｆｉｌｅ  Ｆｏｒｍａｔ）形式を使用してもよい。さらに、Ｅｘｉｆフォーマットには、インデックス表示等に使用するためのサムネイル画像データを含めることもできる。
【００３９】
Ｅｘｉｆ  Ｔａｇデータには、情報出力部３９で作成されたフイルム調設定情報を含む各種情報データが書き込まれる。このＥｘｉｆ  Ｔａｇデータには、撮像日付、シャッタ速度、絞り値、露光量、レンズＦ値、焦点距離、ストロボ発光の有無などのＥｘｉｆフォーマット規格に沿ったＥｘｉｆ固有情報と、Ｍａｋｅｒ  Ｎｏｔｅ  Ｔａｇデータとが含まれる。Ｍａｋｅｒ  Ｎｏｔｅ  Ｔａｇデータとは、各カメラメーカーが自由にメーカー固有の情報を設定できるエリアであり、このエリアには、例えば撮像に使用した機種データなどが記録される。なお、撮像画像ファイルの形式はＥｘｉｆフォーマットに限るものではない。
【００４０】
本実施形態においては、Ｍａｋｅｒ  Ｎｏｔｅ  Ｔａｇにフイルム調設定情報が書き込まれる。また、これらフイルム調設定情報の他に、Ｍａｋｅｒ  Ｎｏｔｅ  Ｔａｇには、画質モード、撮像時シャープネス強度、ホワイトバランスモード、プリント時自動補正ＯＮ／ＯＦＦなどの情報が書き込まれる。
【００４１】
なお、このＥｘｉｆ  Ｔａｇデータが書き込まれるとき、上述した設定入力モードでフイルム調設定情報が入力された場合には、プリント時自動補正ＯＮ／ＯＦＦの項目には、ＯＦＦとなる方のフラグが自動的に選択され、フイルム調設定情報が入力されていないときには、プリント時自動補正ＯＮ／ＯＦＦの項目には、ＯＮとなる方のフラグが選択されるように情報出力部３９で設定されている。
【００４２】
撮像画像ファイルとして撮像画像データが記録されたメモリカード１３は、写真プリンタ１２のメモリスロット６１に装着されて、記録紙１４に画像が記録される。写真プリンタ１２の前面には、メモリスロット６１の他にカセット装填口６２が、上面には、モード切替ボタン６３ａを含む各種操作ボタン６３が配置された操作パネル６４が設けられている。モード切替ボタン６３ａは、通常モード、及び人物画像プリントモードのいずれかのモードに切り替えてプリントを実行するときに操作するものである。カセット装填口６２には、給紙カセット６５が着脱自在にセットされる。給紙カセット６５には、予め決められたサイズの記録紙１４が複数枚収納される。この給紙カセット６５から写真プリンタ１２の内部にへ記録紙１４が引き出され、撮像画像が記録される。記録紙１４に撮像画像が記録された写真プリント１５は、給紙カセット６５の上面に排紙される。
【００４３】
図７に写真プリンタ１２の電気的構成を示す。写真プリンタ１２は、メディアＩ／Ｆ６７、画像データ解凍回路６８、γ変換回路６９、シャープネス処理回路７０、ＹＣｒＣｂマトリクス補正回路７１、ＹＭＣ変換回路７２、プリンタオートセットアップ係数決定部７３、プリントエンジン７４などを備えている。メディアＩ／Ｆ６７はメモリスロット６１に装着されたメモリカード１３にアクセスしてデータの読み取り及び書き込みを行う。
【００４４】
画像データ解凍回路６８は、メモリカード１３に記憶された撮像画像ファイルをメディアＩ／Ｆ６７を介して読み込み、デジタルカメラ１１の圧縮回路３８で圧縮された撮像画像ファイル（撮像画像データ及び各種情報データを含む）を解凍する。解凍された撮像画像ファイルは、プリンタオートセットアップ係数決定部７２に送られるとともに、撮像画像データがＹＣｒＣｂマトリクス補正回路６９へ送られる。
【００４５】
解凍された撮像画像データは、γ変換回路６９へ送られる。そして、撮像画像データは、γ変換回路６９、シャープネス処理回路７０、及びＹＣｒＣｂマトリクス補正回路７１によって順次、γ補正、シャープネス処理、及び色補正を施す画像処理が行われてＹＭＣ変換回路に送られる。
【００４６】
そして、画像処理が施された撮像画像データは、ＹＭＣ変換回路７１へ送られ、ＹＭＣデータに変換される。ＹＭＣ変換回路７１からＹＭＣデータとなった撮像画像データが送られたプリントエンジン７３は、この撮像画像データに基づいて記録紙１４に画像をプリントする。画像のプリントが終わった記録紙１４は、写真プリント１５として排紙口１２ｂから排出される。
【００４７】
画像データ解凍回路６８、γ変換回路６９、シャープネス処理回路７０、及びＹＣｒＣｂマトリクス補正回路７１には、セットアップ係数決定部７５が接続されている。セットアップ係数決定部７５は、画像データ解凍回路６８により解凍された撮像画像データを解析するとともに、フイルム調設定情報を含む各種情報データから、γ変換回路６９、シャープネス処理回路７０、及びＹＣｒＣｂマトリクス補正回路７１による画像処理の内容を設定する。
【００４８】
本実施形態においては、上述したＥｘｉｆ  Ｔａｇデータで、プリント時自動補正ＯＮ／ＯＦＦの項目でＯＮとなるほうのフラグが選択されているとき、すなわち、フイルム調設定情報が入力されていないときには、一般的なユーザーが好む設定となるように命令してγ変換回路６９、シャープネス処理回路７０、及びＹＣｒＣｂマトリクス補正回路７１で自動的に補正してプリント出力する。この自動的な補正が行われるときの初期設定、すなわち一般的なユーザーが好む設定としては、例えば、グレーバランスを一定の濃度に整え、色は彩度を高く補正し、シャープネス（鮮鋭度）を高めにする設定である。そして、プリント時自動補正ＯＮ／ＯＦＦの項目でＯＦＦとなるほうのフラグが選択されているとき、すなわち、フイルム調設定情報が入力されているときには、初期設定の内容による自動的な補正を解除し、フイルム調設定情報に基づいて撮像画像データの補正を行うようにγ変換回路６９、シャープネス処理回路７０、及びＹＣｒＣｂマトリクス補正回路７１による画像処理の内容を変更する。
【００４９】
γ変換回路６９、シャープネス処理回路７０、及びＹＣｒＣｂマトリクス補正回路７１による画像処理の内容について、以下に説明する。先ずγ変換回路６９では、フイルム調設定情報に書き込まれたフイルム調の種類によって、γ特性を変更し、このγ特性に基づいて撮像画像データにγ補正を行なう。
【００５０】
このγ変換回路６９で行うγ補正に使用するγ特性の設定については、詳しくは図８に示すグラフのようになっている。このグラフにおいてγ特性７８は、自動補正のときに使用する通常時の初期設定のものである。そして、例えばリバーサルフイルム調▲１▼〜▲３▼が選択されたときに使用されるのは、γ特性７９であり、初期設定のγ特性７８と比較すると、低いレベルの入力信号ではγ特性７９よりもγ特性７８の方がカーブの上昇率が高く立っているが、高いレベルの入力信号になってくるとγ特性７９の方がカーブの上昇率が高くなって、ガンマ特性７８を超えており、最大レベル付近の入力信号では、γ特性７９の方がγ特性７８よりも全て上回っている。これによってリバーサルフイルム調▲１▼〜▲３▼が選択されたときは、初期設定よりも画像が硬調化されるように撮像画像データにγ補正が行われることになる。
【００５１】
また、ネガフイルム調▲１▼，▲２▼が選択されたときに使用されるγ特性８０は、上述した初期設定のγ特性７８よりもリバーサルフイルム調▲１▼〜▲３▼のγ特性７９に近いカーブとなるように設定されているが、γ特性７８よりもγ特性８０の方がカーブの立ち上がりの位置が低レベルの入力信号から立ち上がり、高レベルの入力信号では、γ特性７８よりもγ特性８０よりも下回るようになっている。これによってネガフイルム調▲１▼，▲２▼が選択されたときは、初期設定よりは画像が硬調化されるが、リバーサルフイルム調▲１▼〜▲３▼よりは画像が軟調化されるように撮像画像データにγ補正が行われることになる。
【００５２】
そして、次のシャープネス処理回路７０で使用されるシャープネス係数の設定については、以下に示す表１のようになっている。
【００５３】
【表１】
2004289729.tif 000004
【００５４】
この表１によると、自動補正のときに使用する通常時の初期設定のシャープネス係数を１００％とすると、リバーサルフイルム調▲１▼，▲２▼，▲３▼が選択されたときのシャープネス係数はそれぞれ１０５％，９５％，８０％となっており、ネガフイルム調▲１▼，▲２▼が選択されたときのシャープネス係数は１２０％，１２５％となっている。
【００５５】
シャープネス処理回路７０では、例えば、周知の低周波分離ＬＰＦ（ローパスフイルタ）などが組み込まれており、この低周波分離ＬＰＦによって撮像画像データの低周波成分と高周波成分とを分離し、このうちの高周波成分に上述したシャープネス係数に応じたゲインを乗じて、このゲイン処理後の高周波成分を低周波成分とを加算する。これによって、それぞれのシャープネス係数に応じて、初期設定の画像のシャープネス（鮮鋭度）に対して、シャープネス係数が高ければ画像のシャープネスが高く、シャープネス係数が低ければ画像のシャープネスが低くなるように撮像画像データを補正することができる。
【００５６】
なお、シャープネス処理回路７０の設定としては、上述したものに限るものではなく、特開平１１−２７５３６３号公報に記載されているような特定色の特定領域のシャープネス（鮮鋭度）を補正する処理を行うものでもよく、シャープネスの処理方法としては、周知のアンシャープマスク方式や、粒状抑制シャープネス方式など、例えば、米国特許第４８１２９０３号公報、特開昭６３−２６７８３号公報、特表平３−５０２９７５号公報および本出願人に係る特開平９−２２４６０号公報に開示された鮮鋭度強調方式などを使用してもよい。
【００５７】
そして、ＹＣｒＣｂマトリクス補正回路７１では、以下に示すマトリクス演算式（２）を用いて、撮像画像データの色補正を行う。
【００５８】
【数２】
2004289729.tif 000005
【００５９】
なお、式（２）中の（Ｒ，Ｇ，Ｂ）は補正前の撮像画像データの信号値であり、（Ｒ´，Ｇ´，Ｂ´）は補正後の撮像画像データの信号値であり、色変換マトリクスＡは、自動補正時における初期設定の色変換マトリクスであり、通常時はこの色変換マトリクスＡを乗じた信号値を色補正後の撮像画像データとして使用する。
【００６０】
フイルム調設定情報が入力されたときに上記の式（２）を用いて色補正を行うときには、表２に示すような補正行列Ｍを式（２）に代入して演算を行う。これによって、フイルム調設定情報で選択されたそれぞれのフイルム調に応じた色変換が行われる。
【００６１】
【表２】
2004289729.tif 000006
【００６２】
次に上記構成の作用について以下に説明する。先ず、デジタルカメラ１１によって撮像を行うときのプロセスを図９に示すフローチャートに沿って説明する。デジタルカメラ２で撮影をする場合、撮影者は、まず操作ボタン２４を操作してフイルム調設定情報の入力を行う。また、このフイルム調設定情報が入力されたときには、ダイナミックレンジ拡大処理部３５の設定が通常時のダイナミックレンジよりも広い範囲のダイナミックレンジに切り替えられる。撮影者は、ＬＣＤパネル２３を覗いてフレーミングを行った後、レリーズボタン２０を半押しする。レリーズボタン１７が半押しされると、測距及び測光が行われ、また同時に焦点調節及び露出調節が行われる。
【００６３】
次に、レリーズボタン７を全押しすると、被写体画像が撮像され、その撮像画像データがメモリーカード１３に記憶される。上述したように広い範囲のダイナミックレンジに切り替えて撮像を行っているので、銀塩フイルムの写真カメラで撮像したときのように明暗比の高い画像を得ることができる。
【００６４】
撮像画像データとともに、フイルム調設定情報、及びプリント時自動補正ＯＮ／ＯＦＦ情報を含む各種情報データが、Ｅｘｉｆ  Ｔａｇデータに書き込まれて１回分の撮像プロセスが終了する。そして、引き続き撮影をする場合には、上記手順が繰り返される。
【００６５】
そして撮像が終了したデジタルカメラ１１のメモリスロット２１からメモリカード１３を抜き取って、メモリカード１３を写真プリンタ１２のメモリスロット６１にセットする。写真プリンタ１２によるプリントが行われるときのプロセスを図１０に示すフローチャートを用いて説明する。メモリスロット６１にメモリカード１３がセットされた後、操作ボタン６３を押操作してプリント開始を指示する。プリント開始が指示されると、１枚ずつの撮像画像データとともに、フイルム調設定情報、及びプリント時自動補正ＯＮ／ＯＦＦ情報を含む各種情報データが読み込まれる。そして、プリント時自動補正ＯＮ／ＯＦＦデータに基づいて、自動補正のＯＮ／ＯＦＦが切り替えられる。フイルム調設定情報が入力されているときには、自動補正がＯＦＦ状態となり、フイルム調の種類に基づいて撮像画像データにγ補正、シャープネス処理、色補正の画像処理が施された補正画像データが作成される。そしてこの補正画像データがプリントされ、写真プリント１５が得られる。
【００６６】
一方、フイルム調設定情報が入力されていないときには、自動補正がＯＮ状態となり、初期設定を使用して撮像画像データを自動的に補正し、プリント出力する。そして、この作業を１枚の撮像画像ファイルごとに繰り返していき、全ての撮像画像データについてのプリント処理が終了する。
【００６７】
このようにして、フイルム調設定情報に基づいた画像処理を施すことによって、銀塩フイルムのプリントを再現したような画像に補正された写真プリントを容易に得ることができる。しかも、画像データを得るデジタル撮像装置としては、１つのデジタルカメラ１１に限定されるものではなく、同様の構成とした他のデジタルカメラで、撮像画像データとともにフイルム調設定情報、及びプリント時自動補正ＯＮ／ＯＦＦ情報をメモリカード１３に記憶させれば、そのメモリカード１３を使用して、同様にフイルム調設定情報に基づいた画像処理を施した写真プリント１５の出力を行うことが可能である。
【００６８】
なお、上記例では、ダイナミックレンジの範囲を、通常時と、フイルム調設定情報が入力された時との２種類を設定してこれらを切り替えるようにしているが、これに限るものではなく、より多数の種類を設定して、フイルム調の種類毎に切り替えるようにしても良いし、広いダイナミックレンジの範囲を常に使用する設定にしても良い。
【００６９】
なお、上記例では、撮像画像データ及び人物座標情報をメモリカード１３に記憶させるためのデジタル撮像装置としては、デジタルカメラを使用しているが、本発明はこれに限るものではなく、画像原稿を読み取るスキャナや、露光済みの写真フイルムの画像を読み取るフイルムスキャナでもよい。また、プリンタとしてもサーマルプリンタに限らず、インクジェットプリンタや、レーザープリンタなどでもよい。
【００７０】
また、上記例では、メモリカード１３にスマートメディア（登録商標）を用いた例について説明しているが、本発明はこれに限らず、コンパクトフラッシュ（登録商標）など他の記憶メディアを用いてもよい。
【００７１】
【発明の効果】
以上説明したように、本発明のプリントシステムによれば、デジタル撮像装置には、銀塩写真のフイルムに対応する複数種のフイルム調情報を入力する入力部と、フイルム調情報を含む各種情報を電子記憶媒体に出力する情報出力部を設けており、プリンタは、電子記憶媒体からフイルム調情報を撮像画像データとともに読み出し、このフイルム調情報に基づいて、撮像画像データに画像処理を施す信号変換を行なって作成した補正画像データをプリント出力しているので、銀塩の写真フイルムの画像を再現したような写真プリントを容易に得ることが可能せり、かつ撮像やプリントを行う様々な電子機器に対応することが可能である。
【図面の簡単な説明】
【図１】プリントシステムの外観斜視図である。
【図２】デジタルカメラの背面図である。
【図３】メニュー画面図及びフイルム調設定画面を示す説明図である。
【図４】デジタルカメラの電気的構成を示すブロック図である。
【図５】ダイナミックレンジ拡大処理部の電気的構成を示すブロック図である。
【図６】撮像画像ファイルのデータ構造を示す説明図である。
【図７】写真プリンタの電気的構成を示すブロック図である。
【図８】γ変換回路で行うγ補正の設定を示すグラフである。
【図９】デジタルカメラで撮像を行うときのシーケンスを示すフローチャートである。
【図１０】プリント処理を行うときのシーケンスを示すフローチャートである。
【符号の説明】
１０  プリントシステム
１１  デジタルカメラ
１２，８１  写真プリンタ
１３  メモリカード
【図１】
2004289729.tif 000007
【図２】
2004289729.tif 000008
【図３】
2004289729.tif 000009
【図４】
2004289729.tif 000010
【図５】
2004289729.tif 000011
【図６】
2004289729.tif 000012
【図７】
2004289729.tif 000013
【図８】
2004289729.tif 000014
【図９】
2004289729.tif 000015
【図１０】
2004289729.tif 000016